(57)【特許請求の範囲】
【請求項１】
カウンターの下に開口部と収納スペースとが設けられている化粧台であって、
前記収納スペースの奥側に前後方向に伸縮するようにされるとともに少なくとも箱型の上部が開口されて設けられる引出し型収納装置と、
該収納装置の内部空間に装備される石鹸水貯留用のタンクおよび該タンク内の石鹸水を供給ホースを介して石鹸水供給機に供給するポンプ装置と、
前記ポンプ装置に電源を供給する電源装置とからなること、
を特徴とする身障者用洗面化粧台。
【請求項２】
化粧台のカウンターの下に開口部と収納スペースとを設け、該収納スペースに前後方向に伸縮自在な引出し装置を設け、該引出し装置の収納空間内に石鹸水貯留用のタンクと該タンク内の石鹸水を供給ホースを介して石鹸水供給機に供給するポンプ装置とを設け、メンテナンスの時に前記引出し装置を手前に引き出して、該引出し装置の収納空間に収納されたタンクに石鹸水を補充できるようにしたこと、
を特徴とする身障者用洗面化粧台における自動石鹸水供給装置の収納方法。
【請求項３】
引出し装置の前後方向の伸長具合は、少なくとも石鹸水貯留用のタンクがカウンターの前端面よりも前に位置しているように引き出されるものであること、
を特徴とする請求項２に記載の身障者用洗面化粧台における自動石鹸水供給装置の収納方法。
【発明の詳細な説明】
【技術分野】
【０００１】
本発明は、身障者用洗面化粧台とその化粧台における自動石鹸水供給装置の収納方法に関するものである。
【背景技術】
【０００２】
従来、身障者用の化粧台は、図４に示すように、また、先行技術としての特許文献１にも記載されているように、洗面ボールの下側に車椅子に乗った人の膝から下が入る大きさの開口部１２ａが設けられ、洗面ボールの側縁近傍のカウンターの上面または開口部側縁近傍の洗面化粧台１１の前面に、手摺が取り付けられているものが知られている。前記洗面ボールはカウンターの上下移動により身体障害者に都合がいいように昇降手段によって上下動されることもある。
【０００３】
前記化粧台においては、カウンター１３の下に開口部１２ａが設けられることから、自動石鹸水供給機（オートディスペンサー）１０を設置する場合、当該自動石鹸水供給装置の収納スペース１４を、図４に示すように、化粧台のカウンター１３下部で、作業スペース１２の最奥に設けることになる。
【先行技術文献】
【特許文献】
【０００４】
【特許文献１】特開平０５−１１１４３９号公報
【発明の概要】
【発明が解決しようとする課題】
【０００５】
しかし、従来の身障者用洗面化粧台１１における自動石鹸水供給装置の収納方法では、石鹸水の補充やメンテナンス作業を行う際に、最奥に収納されているので作業者の手が奥まで届かず、化粧台のカウンター１３下に作業者が潜り込んで、狭い作業スペース１２において作業しなければならない。このように、作業者は苦しい作業姿勢を強いられて、メンテナンス作業に支障をきたすものである。本発明に係る身障者用洗面化粧台と自動石鹸水供給装置の収納方法は、このような課題を解決するために提案されたものである。
【課題を解決するための手段】
【０００６】
本発明に係る身障者用洗面化粧台と自動石鹸水供給装置の収納方法の上記課題を解決して目的を達成するための要旨は、カウンターの下に開口部と収納スペースとが設けられている化粧台であって、前記収納スペースの奥側に前後方向に伸縮するようにされるとともに少なくとも箱型の上部が開口されて設けられる引出し型収納装置と、該収納装置の内部空間に装備される石鹸水貯留用のタンクおよび該タンク内の石鹸水を供給ホースを介して石鹸水供給機に供給するポンプ装置と、前記ポンプ装置に電源を供給する電源装置とからなることである。
【０００７】
本発明に係る身障者用洗面化粧台における自動石鹸水供給装置の収納方法の要旨は、化粧台のカウンターの下に開口部と収納スペースとを設け、該収納スペースに前後方向に伸縮自在な引出し装置を設け、該引出し装置の収納空間内に石鹸水貯留用のタンクと該タンク内の石鹸水を供給ホースを介して石鹸水供給機に供給するポンプ装置とを設け、メンテナンスの時に前記引出し装置を手前に引き出して、該引出し装置の収納空間に収納されたタンクに石鹸水を補充できるようにしたことである。
【０００８】
前記引出し装置の前後方向の伸長具合は、少なくとも石鹸水貯留用のタンクがカウンターの前端面よりも前に位置しているように引き出されるものである。
【発明の効果】
【０００９】
本発明の身障者用洗面化粧台と自動石鹸水供給装置の収納方法によれば、メンテナンス時に、引出し装置を手前に引き出すことで、石鹸水の補充や機器の点検、補修などの作業を作業者が立ったままの姿勢で行うことができるようになる。従来のように化粧台の下に潜り込んで行うという作業が無くなり、本発明により作業スペースが広く確保され、作業性が大幅に改善される、と言う優れた効果を奏するものである。
【図面の簡単な説明】
【００１０】
【図１】本発明に係る身障者用洗面化粧台１の正面図である。
【図２】同本発明の身障者用洗面化粧台１の斜視図である。
【図３】同身障者用洗面化粧台１のメンテナンス時における使用状態の斜視図である。
【図４】従来例に係る身障者用洗面化粧台１１の側面図である。
【発明を実施するための形態】
【００１１】
本発明に係る身障者用洗面化粧台１と自動石鹸水供給装置の収納方法は、図１に示すように、前後方向に伸縮自在な引出し装置２を設けて、その中に石鹸水貯留用タンク３やポンプ装置４を収納するものである。
【実施例１】
【００１２】
図１乃至図２に示すように、本発明に係る身障者用洗面化粧台１は、カウンター５の下に開口部と収納スペース６とが設けられている化粧台であって、前記収納スペース６の奥側に前後方向に伸縮するようにされるとともに少なくとも箱型の上部が開口されて設けられる引出し型収納装置である引出し装置２がある。
【００１３】
図３に示すように、前記収納装置である引出し装置２の内部空間に装備される石鹸水貯留用のタンク３および該タンク３内の石鹸水を供給ホース４ｂを介して石鹸水供給機（オートディスペンサー）４ａに供給するポンプ装置４と、前記ポンプ装置５に電源を供給する電源装置（図示せず）とから、自動石鹸水供給装置が構成される。
【００１４】
図１において、符号７は給水蛇口を示し、符号７ａは排水管、符号７ｂは給水管、符号８は手摺、符号９は鏡をそれぞれ示している。
【００１５】
このように、身障者用洗面化粧台１において、化粧台のカウンター５の下に開口部と収納スペース６とを設け、該収納スペース６に前後方向に伸縮自在な引出し装置２を設け、該引出し装置２の収納空間２ａ内に石鹸水貯留用のタンク３と該タンク３内の石鹸水を供給ホース４ｂを介して石鹸水供給機４ａに供給するポンプ装置４とを設け、メンテナンスの時に前記引出し装置２を手前に引き出して、該引出し装置２の収納空間２ａに収納されたタンク３に石鹸水を補充できるようにしたものである。
【００１６】
前記引出し装置２の前後方向の伸長具合は、図３に示すように、少なくとも石鹸水貯留用のタンク３がカウンター５の前端面よりも前に位置しているように、引き出されるものである。これは、図３に示す、金属製で迫り出し式の引出しレール２ｂによって実現するものである。
【００１７】
前記引出し装置２により、メンテナンスの際に、作業者は、収納スペース６の作業空間において、前記引出し装置２の引出しを手前に引っ張り出し、図３に示すように、自動石鹸水供給装置におけるタンク３がカウンター５よりも前に出ている状態にする。
【００１８】
よって、作業者は立ったままで、石鹸水の補充などを容易にすることができる。自動石鹸水供給装置が前後方向に移動できるようにしたことで、前記収納スペース６内に潜り込んで作業する必要が無くなり、作業性が改善され、メンテナンス等の作業工期も短縮される。
【産業上の利用可能性】
【００１９】
本発明に係る身障者用洗面化粧台は、通常の化粧台にも適用できるものである。
【符号の説明】
【００２０】
１          身障者用洗面化粧台、
２          引出し装置、                      ２ａ      収納空間、
２ｂ        引出しレール、
３          タンク、
４          ポンプ装置、                        
４ａ        石鹸水供給機（オートディスペンサー）、
４ｂ        供給ホース、
５          カウンター、  
６          収納スペース、
７          給水蛇口、                          ７ａ        排水管、
７ｂ        給水管、
８          手摺、
９          鏡、
１０        自動石鹸水供給機、
１１        身障者用洗面化粧台、
１２        作業スペース、                      １２ａ      開口部、
１３        カウンター、
１４        自動石鹸水供給装置の収納スペース。
【図１】
0005865148.tif 000002
【図２】
0005865148.tif 000003
【図３】
0005865148.tif 000004
【図４】
0005865148.tif 000005